(57)【要約】【課題】変動入賞装置への遊技球の入賞率の調整の自由度が高い遊技機を提供すること。【解決手段】遊技球が入賞する入賞口６５を開閉可能な開閉部材６６を有し、開閉部材６６が変動表示装置２２の作動結果によって閉状態と開状態に変換される変動入賞装置２５を備え、開閉部材６６は、下端部を回転軸として開閉可能であり、入賞口６５の中央部を開閉する中央扉６７と、下端部を回転軸として開閉可能であり、入賞口６５の左右両端部を開閉する左右扉６８とを備え、左右扉６８は、左扉６８Ａと右扉６９Ｂとを連結する連結部６８Ｃを備え、第１駆動源８２が駆動すると、中央扉６７が開状態となり、入賞口６５の中央部から遊技球が入賞し、第２駆動源８４が駆動すると、左右扉６８が開動作するのに伴って、連結部６８Ｃが中央扉６７に当接して中央扉６７が連動して開動作し、入賞口６５の中央部及び左右両端部から遊技球が入賞する。【選択図】図２
2010166974.tif 000002
【特許請求の範囲】
【請求項１】
複数の識別情報を変動表示する変動表示装置と、
遊技球が入賞する入賞口を開閉可能な開閉部材を有し、当該開閉部材が前記変動表示装置の作動結果によって閉状態と開状態に変換される変動入賞装置と、を備えた遊技機において、
前記開閉部材は、
第１駆動源の駆動によって下端部を回転軸として開閉可能であり、前記入賞口の中央部を開閉する中央扉と、
第２駆動源の駆動によって下端部を回転軸として開閉可能であり、前記入賞口の左右両端部を開閉する左右扉と、を備え、
前記左右扉は、前記入賞口の左端部を開閉する左扉と、前記入賞口の右端部を開閉する右扉と、前記左扉と前記右扉とを連結する連結部と、を備え、
前記第１駆動源の駆動によって、前記中央扉が開状態となり、前記入賞口の中央部から遊技球が入賞し、
前記第２駆動源の駆動によって、前記左右扉が開動作するのに伴って、前記連結部が前記中央扉に当接して前記中央扉が連動して開動作し、前記入賞口の中央部及び左右両端部から遊技球が入賞することを特徴とする遊技機。
【請求項２】
前記第１駆動源及び前記第２駆動源はソレノイドであり、当該ソレノイドの鉄心はいずれも水平方向に駆動することを特徴とする請求項１に記載の遊技機。
【請求項３】
前記第１駆動源の鉄心の直線運動を前記中央扉の開閉動作に変換する第１変換機構と、
前記第２駆動源の鉄心の直線運動を前記左右扉の開閉動作に変換する第２変換機構と、を備え、
前記第１変換機構は、前記中央扉が閉状態となる方向に鉄心を付勢する付勢部材を備えることを特徴とする請求項１又は請求項２に記載の遊技機。
【請求項４】
前記第２変換機構は、前記左右扉が閉状態となる方向に鉄心を付勢する付勢部材を備え、
前記第２変換機構の前記付勢部材の付勢力は、前記第１変換機構の前記付勢部材の付勢力よりも小さく設定されることを特徴とする請求項３に記載の遊技機。
【発明の詳細な説明】
【技術分野】
【０００１】
本発明は、遊技球を用いる遊技機に関するものである。
【背景技術】
【０００２】
従来の遊技機において、複数の識別情報を変動表示する変動表示装置を備え、変動表示装置の表示結果が予め定められた特定の表示態様となった場合にいわゆる“大当り”や“小当り”となり、大入賞口が開放状態になるなどして遊技者にとって有利な遊技状態となるものがある。
【０００３】
この種の遊技機として特許文献１には、大入賞口の開口面積の拡大を目的として２つの開閉扉で構成される大入賞口を備え、小当りのときには一方の開閉扉を開成し、大当りのときには両開閉扉を同時に開成する遊技機が開示されている。
【先行技術文献】
【特許文献】
【０００４】
【特許文献１】特開２００５−６７５６号公報
【発明の概要】
【発明が解決しようとする課題】
【０００５】
特許文献１に開示の大入賞口は、２つの開閉扉が左右方向に並んで配設されるものであるため、大入賞口の開口面積を拡大して遊技球の入賞率を調整する際には、大入賞口の開口面積は左右方向の一方側に拡大される。したがって、入賞率の調整の自由度は高いとは言えない。
【０００６】
本発明は、上記の問題点に鑑みてなされたものであり、変動入賞装置への遊技球の入賞率の調整の自由度が高い遊技機を提供することを目的とする。
【課題を解決するための手段】
【０００７】
第１の発明は、複数の識別情報を変動表示する変動表示装置と、遊技球が入賞する入賞口を開閉可能な開閉部材を有し、当該開閉部材が前記変動表示装置の作動結果によって閉状態と開状態に変換される変動入賞装置と、を備えた遊技機において、前記開閉部材は、第１駆動源の駆動によって下端部を回転軸として開閉可能であり、前記入賞口の中央部を開閉する中央扉と、第２駆動源の駆動によって下端部を回転軸として開閉可能であり、前記入賞口の左右両端部を開閉する左右扉と、を備え、前記左右扉は、前記入賞口の左端部を開閉する左扉と、前記入賞口の右端部を開閉する右扉と、前記左扉と前記右扉とを連結する連結部と、を備え、前記第１駆動源が駆動すると、前記中央扉が開状態となり、前記入賞口の中央部から遊技球が入賞し、前記第２駆動源が駆動すると、前記左右扉が開動作するのに伴って、前記連結部が前記中央扉に当接して前記中央扉が連動して開動作し、前記入賞口の中央部及び左右両端部から遊技球が入賞することを特徴とする。
【０００８】
第２の発明は、前記第１駆動源及び前記第２駆動源はソレノイドであり、当該ソレノイドの鉄心はいずれも水平方向に駆動することを特徴とする。
【０００９】
第３の発明は、前記第１駆動源の鉄心の直線運動を前記中央扉の開閉動作に変換する第１変換機構と、前記第２駆動源の鉄心の直線運動を前記左右扉の開閉動作に変換する第２変換機構と、を備え、前記第１変換機構は、前記中央扉が閉状態となる方向に鉄心を付勢する付勢部材を備えることを特徴とする。
【００１０】
第４の発明は、前記第２変換機構は、前記左右扉が閉状態となる方向に鉄心を付勢する付勢部材を備え、前記第２変換機構の前記付勢部材の付勢力は、前記第１変換機構の前記付勢部材の付勢力よりも小さく設定されることを特徴とする。
【発明の効果】
【００１１】
第１の発明によれば、変動入賞装置の入賞口の中央部を開閉する中央扉と、入賞口の左右両端部を開閉する左右扉とを備え、中央扉は左右扉が開動作するのに伴って連動して開動作するため、入賞口の開口面積を拡大して遊技球の入賞率を調整する際には、入賞口の開口面積を左右両側に拡大させることができる。したがって、変動入賞装置への遊技球の入賞率の調整の自由度が高い遊技機を得ることができる。
【００１２】
第２の発明によれば、ソレノイドの鉄心は水平方向に駆動するものであるため、変動入賞装置の上下方向の大きさをコンパクトにすることができる。したがって、遊技性の向上等の目的から変動表示装置が大型化した場合でも、変動表示装置の下方に変動入賞装置を配設することが可能となる。また、鉄心が鉛直方向に駆動するソレノイドと比較して、ソレノイドには鉄心の重量が作用しないため、ソレノイド自体を比較的小さくすることができる。
【００１３】
第３及び第４の発明によれば、第２変換機構の付勢部材が不要、又は第２変換機構の付勢部材を設けた場合でも、その付勢部材の付勢力は、第１変換機構の付勢部材の付勢力よりも小さく設定されるため、コストを低減することができる。
【図面の簡単な説明】
【００１４】
【図１】本発明の実施の形態に係る遊技機の遊技盤の斜視図である。
【図２】特別変動入賞装置の斜視図である。
【図３】特別変動入賞装置の分解図である。
【図４】特別変動入賞装置の分解図である。
【図５】中央扉が開状態の特別変動入賞装置の斜視図である。
【図６】中央扉が開状態の特別変動入賞装置の断面図である。
【図７】中央扉及び左右扉が開状態の特別変動入賞装置の斜視図である。
【図８】中央扉及び左右扉が開状態の特別変動入賞装置の断面図である。
【図９】ベース部材，装飾部材，及び裏箱部材を取り除いた状態の特別変動入賞装置の斜視図であり、中央扉及び左右扉が閉状態の図である。
【図１０】ベース部材，装飾部材，及び裏箱部材を取り除いた状態の特別変動入賞装置の斜視図であり、中央扉が開状態の図である。
【図１１】ベース部材，装飾部材，及び裏箱部材を取り除いた状態の特別変動入賞装置の斜視図であり、中央扉及び左右扉が開状態の図である。
【発明を実施するための形態】
【００１５】
以下、図面を参照して、本発明の実施の形態について説明する。なお、以下の実施の形態の説明において記す前後左右とは、遊技者から見た、つまり遊技盤に向かって見た方向を指すものとする。
【００１６】
まず、図１を参照して、本発明の実施の形態に係る遊技機（パチンコ機）の遊技盤１について説明する。図１は遊技盤１の斜視図である。
【００１７】
遊技盤１は、合板やプラスチック等からなる矩形状の部材であり、表面に配設されるガイドレール（図示省略）によって略扇状の遊技領域１１が区画形成される。
【００１８】
遊技機は、遊技者の操作に基づいて発射装置（図示省略）から遊技球を発射させ、遊技領域１１内に流下させることにより遊技を行うものである。遊技者は、遊技盤１を覆うカバーガラス（図示省略）を通じて遊技領域１１を視認することができる。
【００１９】
遊技領域１１には、開口窓部２１ａを有するセンターケース２１が配設される。センターケース２１の後方には、複数の識別情報を変動表示する変動表示装置２２が、その表示部２２ａがセンターケース２１の開口窓部２１ａに臨む状態で配設される。
【００２０】
遊技盤１にはセンターケース２１の外周に沿った形状の開口が形成され、センターケース２１は、その開口に遊技盤１の前方から嵌装される。また、センターケース２１の開口窓部２１ａは、開口窓部２１ａから臨む変動表示装置２２の表示部２２ａが遊技領域１１のほぼ中央に配置されるように形成されている。
【００２１】
変動表示装置２２は、表示部２２ａに複数の変動表示領域（例えば、左側、中央、右側の３つの可変表示領域等）を設定して各表示領域の各々で独立して画像表示がなされる表示装置である。本実施の形態では、例えば、任意の画像を表示可能な液晶表示器等で表示画面が構成され、この表示画面上の各変動表示領域には複数の識別情報（特別図柄）や変動表示ゲームを演出するキャラクタ等、遊技の進行に基づく画像が表示される。
【００２２】
遊技領域１１におけるセンターケース２１の下方でかつ遊技領域１１の略中央には、遊技球の入賞に基づき特別図柄（特図）変動表示ゲームの始動条件を付与可能な始動口２４が配設される。始動口２４は、遊技球が入賞した場合に第１特図変動表示ゲームが行われる第１始動口２４ａと、普通変動入賞装置（普通電動役物）２３を有するチューリップタイプであり、遊技球が入賞した場合に第２特図変動表示ゲームが行われる第２始動口２４ｂとを備える。
【００２３】
始動口２４の左側方には、変動表示装置２２の作動結果によって遊技球を受け入れない閉状態と受け入れ易い開状態とに変換可能な特別変動入賞装置（大入賞口）２５が配設される。始動口２４の右側方には、特別変動入賞装置２５の形状を模した装飾２６が配設される。
【００２４】
遊技領域１１におけるセンターケース２１と特別変動入賞装置２５との間、及びセンターケース２１と装飾２６との間には、普通図柄（普図）変動表示ゲームの普通図柄始動ゲート２７が配設される。
【００２５】
遊技領域１１には、この他に、遊技球が入賞した場合に賞球を払い出す条件だけが成立する一般入賞口（図示省略）、遊技球の落下方向を変える風車や釘（図示省略）等の方向変換部材、入賞せずに流下した遊技球を回収するアウト口３０、及び発光により各種の装飾表示を行うランプ・ＬＥＤ（図示省略）が配設される。
【００２６】
発射装置によって打ち出された遊技球は、ガイドレールの左側部に沿って区画され遊技球を案内する発射球案内通路（図示省略）から遊技領域１１に発射され、遊技領域１１内の各所に配置された方向変換部材によって落下方向を変えながら遊技領域１１を流下し、一般入賞口、始動口２４、又は特別変動入賞装置２５に入賞するか、遊技領域１１の最下部に設けられたアウト口３０から排出される。
【００２７】
一般入賞口、始動口２４、又は特別変動入賞装置２５に遊技球が入賞すると、入賞した入賞口の種類に応じた数の賞球が払出装置（図示省略）から排出される。
【００２８】
具体的には、始動口２４に遊技球が入賞すると、変動表示装置２２では、前述した数字等で構成される識別情報が順に変動表示する特図変動表示ゲームが開始され、特図変動表示ゲームに関する画像が表示される。
【００２９】
始動口２４への遊技球の入賞が所定のタイミングでなされたときには大当たり状態となり、三つの表示図柄が揃った状態（大当たり図柄）で停止する。このとき、特別変動入賞装置２５は、大入賞口ソレノイド８２，８４（図２参照）への通電によって、入賞口６５（図５及び図７参照）を開閉する開閉部材６６が所定の時間だけ、遊技球を受け入れない閉状態（遊技者に不利な状態）から遊技球を受け入れ易い開状態（遊技者に有利な状態）に変換される。すなわち、入賞口６５が所定の時間だけ大きく開くので、この間遊技者には、多くの遊技球を獲得することができるという遊技価値が付与される。特別変動入賞装置２５については、後に詳述する。
【００３０】
普通図柄始動ゲート２７を遊技球が通過すると、状態表示器（図示省略）にて普図変動表示ゲームが開始される。普通図柄始動ゲート２７への遊技球の通過が所定のタイミングでなされたときには普通図柄に関する当たり状態となり、状態表示器に表示される普通図柄が当たり状態で停止する。このとき、第２始動口２４ｂに設けられた普通変動入賞装置２３は、普通電動役物ソレノイド（図示省略）への通電によって、第２始動口２４ｂへの入口が所定の時間だけ拡開するように変換され、第２始動口２４ｂへの遊技球の入賞可能性が高められる。
【００３１】
次に、図１を参照して、センターケース２１について説明する。
【００３２】
センターケース２１は、異形リング状の部材であり、遊技盤１に形成された開口に遊技盤１の前方から嵌装され、遊技盤１に対して固定される。センターケース２１は合成樹脂にて形成される。
【００３３】
センターケース２１の外周には、外側に向かって突設する鍔部３９が形成される。センターケース２１は、鍔部３９を介して遊技盤１に固定され、鍔部３９よりも前方側が遊技領域１１内に配置されることになる。
【００３４】
センターケース２１が遊技盤１に固定された状態では、遊技盤１には背面に変動表示装置２２の表示部２２ａが配置された凹室４０が形成される。
【００３５】
センターケース２１には、遊技盤１に固定された状態で、遊技盤１の表面から前方に立設し遊技球を案内するガイド４１が形成される。ガイド４１は、センターケース２１の上部中央を頂部とし、頂部から左右両側に亘って円弧状に延設された左円弧状ガイド４１ａと右円弧状ガイド４１ｂからなる。
【００３６】
左円弧状ガイド４１ａと右円弧状ガイド４１ｂの上方には、所定間隔を空けて複数の釘からなる釘群４２が円弧状に植設される。釘群４２におけるガイド４１の頂部に対応する位置には、遊技球が１個通過可能な隙間４３が形成される。したがって、隙間４３を通過した遊技球は、ガイド４１の頂部に落下する。隙間４３の下方には、通過した遊技球を検出するためのセンサ４７が配設される。
【００３７】
ガイド４１の頂部には、遊技球を左円弧状ガイド４１ａ又は右円弧状ガイド４１ｂに振り分ける突起４４が配設される。突起４４の左右両側は、それぞれ左円弧状ガイド４１ａ及び右円弧状ガイド４１ｂに向かって傾斜して形成され、その傾斜によって隙間４３を通じてガイド４１に導かれた遊技球は左右に振り分ける。振り分けられた遊技球はガイド４１に沿って転動する。
【００３８】
センターケース２１には、遊技領域１１を流下する遊技球をセンターケース２１の凹室４０内に導くためのワープ通路４５ａ，４５ｂが配設される。
【００３９】
左円弧状ガイド４１ａ及び右円弧状ガイド４１ｂには、転動する遊技球をワープ通路４５ａ，４５ｂに導く入口部４６ａ，４６ｂが開口して形成される。釘群４２の両端の釘４２ａ，４２ｂとガイド４１との隙間は、遊技球が通過不能な隙間に設定される。また、入口部４６ａ，４６ｂは、両端の釘４２ａ，４２ｂよりも上流側に形成されるため、隙間４３を通じてガイド４１に導かれる全ての遊技球は、入口部４６ａ，４６ｂからワープ通路４５ａ，４５ｂへと流入する。
【００４０】
センターケース２１の内側底部である凹室４０の底部には、ワープ通路４５ａ，４５ｂから導かれた遊技球が転動可能であって、転動する遊技球を始動口２４が配設される遊技領域１１へ流下させるためのステージ５０が配設される。
【００４１】
ワープ通路４５ａ，４５ｂは、左円弧状ガイド４１ａ及び右円弧状ガイド４１ｂのそれぞれの内周面に沿って配設され、下流端の排出口（図示省略）は、ステージ５０の左右両端部に臨んで開口して形成される。したがって、入口部４６ａ，４６ｂからワープ通路４５ａ，４５ｂに流入した遊技球は、左円弧状ガイド４１ａ及び右円弧状ガイド４１ｂの内周面に沿って流下し、ステージ５０へと排出される。
【００４２】
次に、図１を参照して、ステージ５０について説明する。
【００４３】
ステージ５０は、センターケース２１の内側底部に左右方向に延設され、左右両側が高く中央部が低い円弧状に形成される。つまり、両側から中央部に向かって緩やかに下り傾斜して形成される。ステージ５０は、中央の最低部が始動口２４の直上方となるように配設される。なお、ステージ５０は、透明な合成樹脂にて形成される。
【００４４】
ステージ５０は、奥側に配置され左右方向に延設された第１ステージ部５１と、手前側に配置され左右方向に延設された第２ステージ部５２とを備える。第１ステージ部５１と第２ステージ部５２は、左右方向に平行に配設され、両者の境界には、互いの行き来を規制する区画壁５３が配設される。
【００４５】
ワープ通路４５ａ，４５ｂの排出口は、第１ステージ部５１の左右両端部に臨んで開口して形成されるため、ワープ通路４５ａ，４５ｂから排出された遊技球は、第１ステージ部５１に流入し、第１ステージ部５１の中央部に向かって転動する。
【００４６】
第１ステージ部５１の中央の最低部には、遊技球をステージ５０の下方に配設された下段ステージ５５へと導く誘導口５６が開口して形成される。
【００４７】
下段ステージ５５は、ステージ５０と同様に円弧状に形成され、ステージ５０の下面と所定の間隔を空けステージ５０に沿って形成される。下段ステージ５５は、前方に向かって、つまり遊技領域１１に向かって緩やかに下り傾斜して形成され、前端部は、左右全体に亘って遊技領域１１に開口する。したがって、下段ステージ５５を転動する遊技球は、遊技領域１１へと流下する。
【００４８】
下段ステージ５５の中央の最低部には、上方に向かって隆起した隆起部５７が形成される。つまり、隆起部５７は、始動口２４の直上方に形成される。
【００４９】
隆起部５７は、頂部５７ａから左右それぞれに下り傾斜した傾斜部５７ｂを有し、頂部５７ａは、下段ステージ５５の短手方向に延在し、かつ第１ステージ部５１の誘導口５６の直下方に位置する。
【００５０】
したがって、第１ステージ部５１の誘導口５６に流入し、下段ステージ５５に導かれた遊技球は、隆起部５７の頂部５７ａに当接して左右方向に振り分けられ、傾斜部５７ｂを下り下段ステージ５５の傾斜によって遊技領域１１へと流下する。隆起部５７は、始動口２４の直上方に形成されるため、下段ステージ５５から遊技領域１１へと流下する遊技球が始動口２４へと入賞する可能性は低い。
【００５１】
第２ステージ部５２は、区画壁５３によって第１ステージ部５１と区切られているため、第１ステージ部５１を転動する遊技球が第２ステージ部５２へと転動して流入することはない。第１ステージ部５１を転動する遊技球の一部は、後述する電磁石６０の作用によって第２ステージ部５２へと誘導される。
【００５２】
第２ステージ部５２は、前方に向かって、つまり遊技領域１１に向かって緩やかに下り傾斜して形成される。第２ステージ部５２の前端部には、転動する遊技球の遊技領域１１への落下を防止するためのガイド壁５８が左右全体に亘って配設される。
【００５３】
ガイド壁５８には、部分的に切り欠かれた切欠部５８ａが形成され、この切欠部５８ａによって第２ステージ部５２は遊技領域１１に開口する。
【００５４】
切欠部５８ａは、第２ステージ部５２の中央の最低部に位置する。したがって、第２ステージ部５２を転動する遊技球は、左右方向に往復転動し、次第に往復転動の振幅が小さくなり、最終的には全ての遊技球が切欠部５８ａを通じて遊技領域１１に排出される。このように、第２ステージ部５２は、遊技球を遊技領域１１へと流下させるためのものである。
【００５５】
ガイド壁５８の切欠部５８ａは、始動口２４の直上方に形成される。このため、切欠部５８ａを通じて遊技領域１１に排出される遊技球は、始動口２４に向かって流下するため、始動口２４に入賞する可能性が高くなる。
【００５６】
電磁石６０は、区画壁５３に沿ってステージ５０の上方に配設されるロッド６１に、所定の間隔を空けて複数個支持される。本実施の形態では、電磁石６０は、ステージ５０の最低部に対峙して支持される電磁石６０Ｃ、及び電磁石６０Ｃの左右それぞれに支持される電磁石６０Ｌ，電磁石６０Ｒの３個である。
【００５７】
ロッド６１は、両端部がセンターケース２１の内周面の左右両側に回転自在に支持される。ロッド６１の一端部にはモータ（図示省略）の出力軸が連結される。モータは、正転、停止、逆転、停止、正転というように起動と停止を繰り返す。これにより、ロッド６１は、軸心を中心に所定角度の範囲で往復回転し、これに伴い、ロッド６１に支持された電磁石６０もロッド６１を回転軸として前後方向に揺動運動する。具体的には、電磁石６０は、鉛直下方を中心として前後約５０度の範囲で揺動運動する。
【００５８】
電磁石６０は、区画壁５３の上方に配設されるため、区画壁５３を中心に第１ステージ部５１と前記第２ステージ部５２に亘って揺動することになる。
【００５９】
第１ステージ部５１を転動中に磁力によって電磁石６０に吸着された遊技球は、電磁石６０の揺動によって区画壁５３を跨いで第２ステージ部５２へと誘導される。第２ステージ部５２に誘導された遊技球は、切欠部５８ａを通じて遊技領域１１に排出され、始動口２４に向かって流下する。このように、電磁石６０によって第１ステージ部５１から第２ステージ部５２へと誘導される遊技球は、始動口２４へ入賞する可能性が高い。
【００６０】
次に、図２〜図８を参照して、特別変動入賞装置２５について説明する。図２は特別変動入賞装置２５の斜視図であり、図３及び図４は特別変動入賞装置２５の分解図であり、図５は中央扉６７が開状態の特別変動入賞装置２５の斜視図であり、図６は中央扉６７が開状態の特別変動入賞装置２５の断面図であり、図７は中央扉６７及び左右扉６８が開状態の特別変動入賞装置２５の斜視図であり、図８は中央扉６７及び左右扉６８が開状態の特別変動入賞装置２５の断面図である。なお、図６及び図８の断面図は、開閉部材６６の左右方向中央付近の縦断面図である。
【００６１】
特別変動入賞装置２５は、遊技球が入賞する入賞口６５を開閉可能な開閉部材６６を有し、開閉部材６６が変動表示装置２２の作動結果によって閉状態と開状態に変換され、遊技領域１１を流下する遊技球が入賞口６５に入賞すると所定の賞球を付与するものである。
【００６２】
具体的には、特図変動表示ゲームの結果、大当たりとなれば、変動表示装置２２の三つの表示図柄が揃った状態で停止し、特別遊技状態が生起される。特別遊技状態では、開閉部材６６は、遊技球を受け入れない遊技者に不利な閉状態から遊技球を受け入れ易い遊技者に有利な開状態に変換される。
【００６３】
入賞口６５は、図３及び図４に示すように、遊技盤１の前面に取り付けられるベース部材７０に横長状に開口して形成される。
【００６４】
開閉部材６６は、入賞口６５の中央部を開閉する中央扉６７と、中央扉６７の左右に配置され入賞口６５の左右両端部を開閉する左右扉６８とを備える。
【００６５】
図３に示すように、中央扉６７は、横長状に形成された扉部６７ａと、扉部６７ａの下端部に連結され左右方向に延びるロッド部６７ｂとを備える。ロッド部６７ｂの両端には中空部が形成され、その中空部内にはピン６９が嵌挿される。
【００６６】
ベース部材７０には、ピン６９が収装される溝部７０ａが形成される（図３及び図４参照）。溝部７０ａは、ベース部材７０の前面に取り付けられる装飾部材７１によって閉塞される。したがって、ピン６９は、ベース部材７０と装飾部材７１とによって回転自在に支持されることになる。このように、中央扉６７は、下端部のピン６９が回転自在に支持され、ロッド部６７ｂを回転軸として開閉する。
【００６７】
中央扉６７のロッド部６７ｂの右端部には、後方に向かって延びるレバー部７２が連結される。レバー部７２には後述する第１変換機構８３が係合し、第１変換機構８３の作用にてレバー部７２が上下方向に揺動することによって、中央扉６７はロッド部６７ｂを回転軸として開閉する。
【００６８】
図３，図５，及び図６に示すように、ロッド部６７ｂの中央部付近には、中央扉６７の開度が所定以上となることを規制するストッパ部６７ｃが形成される。中央扉６７が開動作する過程で、ストッパ部６７ｃが装飾部材７１の前面に当接して、それ以上の開動作が規制される。つまり、ストッパ部６７ｃは中央扉６７の最大開度を規定するものである。
【００６９】
図４に示すように、左右扉６８は、入賞口６５の左端部を開閉する左扉６８Ａと、入賞口６５の右端部を開閉する右扉６８Ｂと、左扉６８Ａと右扉６８Ｂとを連結する連結部６８Ｃとを備える。
【００７０】
左扉６８Ａ及び右扉６８Ｂは、遊技球１個程度の幅を有する扉部６８ａと、扉部６８ａの下端部に連結され左右方向に延びるロッド部６８ｂとを備える。左扉６８Ａのロッド部６８ｂの左端及び右扉６８Ｂのロッド部６８ｂの右端には中空部が形成され、それぞれの中空部にはピン７３が嵌挿される。
【００７１】
連結部６８Ｃは、左扉６８Ａと右扉６８Ｂの上端部に亘って左右方向に延在して形成される。連結部６８Ｃによって、左扉６８Ａと右扉６８Ｂは一体に形成される。したがって、左扉６８Ａと右扉６８Ｂは一体に開閉する。
【００７２】
ベース部材７０には、ピン７３が収装される溝部７０ｂが形成される（図３及び図４参照）。溝部７０ｂは装飾部材７１によって閉塞されるため、ピン７３は、ベース部材７０と装飾部材７１とによって回転自在に支持されることになる。このように、左右扉６８は、下端部のピン７３が回転自在に支持され、ロッド部６８ｂを回転軸として開閉する。
【００７３】
溝部７０ｂは溝部７０ａの上方に平行に形成される。したがって、左右扉６８のロッド部６８ｂは、中央扉６７のロッド部６７ｂの上方に、かつロッド部６７ｂと平行に配置される。
【００７４】
左扉６８Ａのロッド部６８ｂの左側部には、後方に向かって延びるレバー部７４（図９〜図１１参照）が連結される。レバー部７４には後述する第２変換機構８５が係合し、第２変換機構８５の作用にてレバー部７４が上下方向に揺動することによって、左右扉６８はロッド部６８ｂを回転軸として開閉する。
【００７５】
図４及び図７に示すように、入賞口６５の内周上縁部には、左右扉６８が閉状態において、左扉６８Ａ及び右扉６８Ｂの背面上端部が当接するストッパ部７５が形成される。つまり、ストッパ部７５は、左右扉６８の閉状態を規定するものである。
【００７６】
中央扉６７と左右扉６８の位置関係について説明すると、図２に示すように、中央扉６７及び左右扉６８が閉状態である場合には、中央扉６７は、背面上端部が左右扉６８の連結部６８Ｃの前面に当接した状態となる。
【００７７】
中央扉６７及び左右扉６８が閉状態である場合において、左右扉６８が開動作した場合には、連結部６８Ｃの前面には中央扉６７が当接しているため、図７及び図８に示すように、左右扉６８の開動作に伴って中央扉６７も連動して開動作する。そして、中央扉６７のストッパ部６７ｃが装飾部材７１の前面に当接することによって、左右扉６８の開動作が規制される。このように、左右扉６８が開動作する場合には、中央扉６７も連動して開動作する。これに対して、図５及び図６に示すように、中央扉６７は単独で開動作可能である。
【００７８】
図２に示すように、ベース部材７０の背面には、入賞口６５への遊技球の入賞を検出するセンサ８０（図７参照）や、装飾用のＬＥＤが装着されたＬＥＤ基板７９（図６及び図８参照）等が収納された裏箱部材８１が取り付けられる。
【００７９】
裏箱部材８１には、フランジ部８６を介して第１ソレノイド８２（第１駆動源）が締結され、第１ソレノイド８２が駆動することによって、第１変換機構８３が動作して中央扉６７が開閉する。
【００８０】
また、ベース部材７０の背面には、フランジ部８７を介して第２ソレノイド８４（第２駆動源）が締結され、第２ソレノイド８４が駆動することによって、第２変換機構８５が動作して左右扉６８が開閉する。
【００８１】
第１変換機構８３及び第２変換機構８５は、後述するように裏箱部材８１に支持される。
【００８２】
次に、図９〜図１１を参照して、第１ソレノイド８２、第１変換機構８３、第２ソレノイド８４、及び第２変換機構８５について説明する。図９，図１０、及び図１１は、ベース部材７０，装飾部材７１，及び裏箱部材８１を取り除いた状態の特別変動入賞装置２５の斜視図であり、それぞれ中央扉６７及び左右扉６８が閉状態、中央扉６７が開状態、及び中央扉６７及び左右扉６８が開状態の図である。
【００８３】
まず、中央扉６７を開閉するための第１ソレノイド８２及び第１変換機構８３について説明する。
【００８４】
第１ソレノイド８２は、筺体８２ａと、筺体８２ａのコイル内に進退可能に配設された鉄心８２ｂとを備える。鉄心８２ｂは、コイルに通電することによって発生する電磁力にて進退する。第１ソレノイド８２を裏箱部材８１に締結するためのフランジ部８６は筺体８２ａに一体に取り付けられる。
【００８５】
第１ソレノイド８２は、鉄心８２ｂが水平方向に駆動するように、具体的には前後方向に進退するように配設される。
【００８６】
第１変換機構８３は、第１ソレノイド８２の鉄心８２ｂの直線運動を中央扉６７の開閉動作に変換するものである。第１変換機構８３は、第１ソレノイド８２の鉄心８２ｂに連結部材８８を介して一体に連結され、鉄心８２ｂと一体に進退する直動部材８９と、直動部材８９の進退動作に伴って軸９０ａを中心に揺動し、中央扉６７を開閉する揺動部材９０とを備える。
【００８７】
直動部材８９は、連結部材８８に連結された本体部８９ａと、本体部８９ａの前面から前方へと突設して形成された突設部８９ｂとを備える。突設部８９ｂの先端付近には、左右方向に貫通し、上下方向に延びる長穴８９ｃが形成される。
【００８８】
揺動部材９０は、平板状の部材であり、側面に配設され水平方向に突設する軸９０ａを中心に揺動する。軸９０ａは、裏箱部材８１に回動自在に支持される。
【００８９】
揺動部材９０の基端側には、直動部材８９の長穴８９ｃに摺動自在に挿入されるピン９０ｂが配設される。軸９０ａはピン９０ｂの下方に配設される。このように、揺動部材９０は、基端側がピン９０ｂを介して直動部材８９に係合し、直動部材８９の進退動作に伴って、軸９０ａを回転軸として自由端側が上下方向に揺動するように構成される。
【００９０】
揺動部材９０の自由端には、中央扉６７に連結されたレバー部７２に係合するＵ字状の爪片９０ｃが形成される。爪片９０ｃは上下一対の爪片からなる。揺動部材９０の自由端が下方に揺動すれば、レバー部７２は上部の爪片９０ｃによって下方に押し下げられるため、中央扉６７は閉状態となる。また、揺動部材９０の自由端が上方に揺動すれば、レバー部７２は下部の爪片９０ｃによって上方に押し上げられるため。中央扉６７は開状態となる。
【００９１】
第１変換機構８３は、直動部材８９と揺動部材９０の他に、第１ソレノイド８２の筺体８２ａと直動部材８９の本体部８９ａとの間に介装され、中央扉６７が閉状態となる方向に鉄心８２ｂを付勢する付勢部材としてのスプリング９１も備える。
【００９２】
第１変換機構８３の動作について説明すると、第１ソレノイド８２に通電されていない場合には、図９に示すように、スプリング９１の付勢力によって鉄心８２ｂは最伸長状態である。このため、直動部材８９は前進端に位置し、揺動部材９０は上部の爪片９０ｃがレバー部７２を下方に押し下げた状態であり、中央扉６７は閉状態である。
【００９３】
この状態から、第１ソレノイド８２に通電された場合には、図１０に示すように、鉄心８２ｂはスプリング９１を圧縮しながら後退する。鉄心８２ｂの後退に伴い直動部材８９も後退し、直動部材８９の後退に伴って、揺動部材９０は軸９０ａを中心として自由端側が上方に向かって揺動する。揺動部材９０の揺動に伴って、レバー部７２が下部の爪片９０ｃにて上方に押し上げられるため、中央扉６７はロッド部６７ｂを回転軸として開動作する。なお、揺動部材９０の揺動の過程で、揺動部材９０のピン９０ｂは、直動部材８９の長穴８９ｃ内を移動する。
【００９４】
中央扉６７は、ストッパ部６７ｃが装飾部材７１の前面に当接することによって最大開度となる（図１０に示す状態）。この状態では、鉄心８２ｂは最収縮状態となるため、スプリング９１は最圧縮状態となる。
【００９５】
中央扉６７が最大開度の状態から第１ソレノイド８２への通電を停止した場合には、鉄心８２ｂを駆動する電磁力が消失するため、鉄心８２ｂはスプリング９１の付勢力によって前進する。鉄心８２ｂの前進に伴い直動部材８９も前進し、直動部材８９の前進に伴って、揺動部材９０は軸９０ａを中心として自由端側が下方に向かって揺動する。揺動部材９０の揺動に伴って、レバー部７２が上部の爪片９０ｃにて下方に押し下げられるため、中央扉６７はロッド部６７ｂを回転軸として閉動作する。
【００９６】
中央扉６７は、背面上端部が左右扉６８の連結部６８Ｃの前面に当接することによって閉状態となる（図９に示す状態）。
【００９７】
次に、左右扉６８を開閉するための第２ソレノイド８４及び第２変換機構８５について説明する。
【００９８】
第２ソレノイド８４は、筺体８４ａと、筺体８４ａのコイル内に進退可能に配設された鉄心８４ｂとを備える。鉄心８４ｂは、コイルに通電することによって発生する電磁力にて進退する。第２ソレノイド８４をベース部材７０に締結するためのフランジ部８７は筺体８４ａに一体に取り付けられる。フランジ部８７にはロッド９２（図２参照）が固定され、ロッド９２の先端はベース部材７０の背面に取り付けられる。このように、第２ソレノイド８４は、フランジ部８７及びロッド９２を介してベース部材７０に取り付けられる。
【００９９】
第２ソレノイド８４は、鉄心８４ｂが水平方向に駆動するように、具体的には前後方向に進退するように配設される。
【０１００】
第２変換機構８５は、第１変換機構８３と同様に、第２ソレノイド８４の鉄心８４ｂの直線運動を左右扉６８の開閉動作に変換するものである。第２変換機構８５は、第２ソレノイド８４の鉄心８４ｂに連結部材９３を介して一体に連結され、鉄心８４ｂと一体に進退する直動部材９４と、直動部材９４の進退動作に伴って軸９５ａを中心に揺動し、左右扉６８を開閉する揺動部材９５とを備える。
【０１０１】
直動部材９４は、連結部材９３に連結された本体部９４ａと、本体部９４ａの前面から前方へと突設して形成された突設部９４ｂとを備える。突設部９４ｂの先端付近には、左右方向に貫通し、上下方向に延びる長穴９４ｃが形成される。
【０１０２】
揺動部材９５は、短辺部９５Ａと長辺部９５ＢとからなるＬ字形状の部材であり、角部に配設され水平方向に突設する軸９５ａを中心に揺動する。軸９５ａは、裏箱部材８１に回動自在に支持される。
【０１０３】
短辺部９５Ａの先端部には、直動部材９４の長穴９４ｃに摺動自在に挿入されるピン９５ｂが配設される。また、長辺部９５Ｂの先端部にはピン９５ｃが配設され、ピン９５ｃは、左右扉６８に連結されたレバー部７４に形成された長穴７４ａに摺動自在に挿入される。
【０１０４】
このように、揺動部材９５は、短辺部９５Ａの先端部がピン９５ｂを介して直動部材８９に係合し、直動部材９４の進退動作に伴って、軸９５ａを回転軸として長辺部９５Ｂの先端部が上下方向に揺動するように構成される。長辺部９５Ｂの先端部が下方に揺動すれば、レバー部７４はピン９５ｃを介して下方に押し下げられるため、左右扉６８は閉状態となる。また、長辺部９５Ｂの先端部が上方に揺動すれば、レバー部７４はピン９５ｃを介して上方に押し上げられるため、左右扉６８は開状態となる。
【０１０５】
第２変換機構８５は、直動部材９４と揺動部材９５の他に、第２ソレノイド８４の筺体８４ａと直動部材９４の本体部９４ａとの間に介装され、左右扉６８が閉状態となる方向に鉄心８４ｂを付勢する付勢部材としてのスプリング９６も備える。
【０１０６】
第２変換機構８５の動作について説明すると、第２ソレノイド８４に通電されていない場合には、図９に示すように、スプリング９６の付勢力によって鉄心８４ｂは最伸長状態である。このため、直動部材９４は前進端に位置し、揺動部材９５はレバー部７４を下方に押し下げた状態であり、左右扉６８は閉状態である。
【０１０７】
この状態から、第２ソレノイド８４に通電された場合には、図１１に示すように、鉄心８４ｂはスプリング９６を圧縮しながら後退する。鉄心８４ｂの後退に伴い直動部材９４も後退し、直動部材９４の後退に伴って、揺動部材９５は軸９５ａを中心として長辺部９５Ｂの先端部が上方に向かって揺動する。長辺部９５Ｂの揺動に伴って、レバー部７４はピン９５ｃを介して上方に押し上げられるため、左右扉６８はロッド部６８ｂを回転軸として開動作する。なお、揺動部材９５の揺動の過程で、揺動部材９０のピン９５ｂは直動部材８９の長穴８９ｃ内を移動すると共に、ピン９５ｃはレバー部７４の長穴７４ａ内を移動する。
【０１０８】
図１１に示すように、左右扉６８の開動作に伴って中央扉６７も連動して開動作する。そして、左右扉６８は、中央扉６７のストッパ部６７ｃが装飾部材７１の前面に当接することによって最大開度となる。このように、左右扉６８が開状態となる場合には、中央扉６７も開状態となる。この状態では、第２ソレノイド８４の鉄心８４ｂは最収縮状態となるため、スプリング９６は最圧縮状態となる。また、中央扉６７が連動して開状態となることによって、第１変換機構８３の揺動部材９０は、レバー部７２によって自由端が上方へと押し上げられて揺動する。揺動部材９０の揺動に伴って第１変換機構８３の直動部材８９は後退するため、第１ソレノイド８２の鉄心８２ｂは最収縮状態となり、スプリング９１は最圧縮状態となる。このように、第１ソレノイド８２のスプリング９１及び第２ソレノイド８４のスプリング９６は、共に最圧縮状態となる。
【０１０９】
左右扉６８が最大開度の状態から第２ソレノイド８４への通電を停止とした場合には、鉄心８４ｂを駆動する電磁力が消失するため、鉄心８４ｂはスプリング９６の付勢力によって前進する。鉄心８４ｂの前進に伴い直動部材９４も前進し、直動部材９４の前進に伴って、揺動部材９５は軸９５ａを中心として長辺部９５Ｂの先端部が下方に向かって揺動する。長辺部９５Ｂの揺動に伴って、レバー部７４はピン９５ｃを介して下方に押し下げられるため、左右扉６８はロッド部６８ｂを回転軸として閉動作する。
【０１１０】
また、左右扉６８の閉動作に伴って、中央扉６７に左右扉６８の自重が作用しなくなるため、第１ソレノイド８２の鉄心８２ｂもスプリング９１の付勢力によって前進する。鉄心８２ｂの前進に伴い、直動部材８９は前進すると共に揺動部材９０は揺動するため、中央扉６７もロッド部６７ｂを回転軸として閉動作する。このように、左右扉６８の閉動作に伴って、中央扉６７も閉動作する。
【０１１１】
左右扉６８は、背面上端部がストッパ部７５に当接することによって閉状態となり、また、中央扉６７は、背面上端部が左右扉６８の連結部６８Ｃの前面に当接することによって閉状態となる（図９に示す状態）。
【０１１２】
以上のように、中央扉６７は単独で開閉動作可能であるのに対して、左右扉６８が開閉動作する場合には、中央扉６７も連動して開閉動作する。
【０１１３】
開閉部材６６は、特図変動表示ゲームの結果、大当たりとなり特別遊技状態が生起されれば開状態となるが、中央扉６７は、第１特別遊技状態が生起された場合に開状態となり、左右扉６８は、第２特別遊技状態が生起された場合に開状態となる。つまり、第２特別遊技状態が生起された場合には、左右扉６８及び中央扉６７の両方が開状態となる。
【０１１４】
第１特別遊技状態及び第２特別遊技状態のいずれかが生起されるかは、変動表示装置２２の大当たり図柄に応じて決定される。つまり、予め定められた大当たり図柄に基づいて第１特別遊技状態又は第２特別遊技状態が生起される。
【０１１５】
第１特別遊技状態が生起され中央扉６７のみが開状態となった場合には、遊技球は入賞口６５の中央部のみから入賞する。これに対して、第２特別遊技状態が生起され中央扉６７及び左右扉６８が開状態となった場合には、遊技球は入賞口６５の中央部及び左右両端部から入賞する。
【０１１６】
このように、第２特別遊技状態では、第１特別遊技状態と比較して入賞口６５の開口面積はより大きいため、遊技者にとってより有利となる。このように、第１特別遊技状態と第２特別遊技状態とでは、入賞口６５の開口面積が異なるため、入賞口６５への遊技球の入賞率を調整することができる。さらに、第２特別遊技状態では、第１特別遊技状態と比較して入賞口６５の開口面積が左右両側に拡大するため、入賞口６５への遊技球の入賞率の調整の自由度が高い。
【０１１７】
以上の実施の形態によれば、以下に示す作用効果を奏する。
【０１１８】
特別変動入賞装置２５の入賞口６５を開閉可能な開閉部材６６として、入賞口６５の中央部を開閉する中央扉６７と、入賞口６５の左右両端部を開閉する左右扉６８とを備え、中央扉６７は左右扉６８が開動作するのに伴って連動して開動作する。したがって、入賞口６５の開口面積を拡大して遊技球の入賞率を調整する際には、入賞口６５の開口面積を左右両側に拡大させることができるため、特別変動入賞装置２５への遊技球の入賞率の調整の自由度が高い遊技機を得ることができる。
【０１１９】
また、第１ソレノイド８２の鉄心８２ｂ及び第２ソレノイド８４の鉄心８４ｂは水平方向に駆動するものであるため、特別変動入賞装置２５の上下方向の大きさをコンパクトにすることができる。したがって、遊技性の向上等の目的から変動表示装置２２が大型化した場合でも、変動表示装置２２の下方に特別変動入賞装置２５を配設することが可能となる。また、鉄心が鉛直方向に駆動するソレノイドと比較して、ソレノイドには鉄心の重量が作用しないため、ソレノイド自体を比較的小さくすることができる。
【０１２０】
以下では、上記実施の形態の他の形態について説明する。
【０１２１】
上記実施の形態では、中央扉６７及び左右扉６８が開状態である場合において、第２ソレノイド８４への通電を停止した場合には、中央扉６７及び左右扉６８は、それぞれスプリング９１及びスプリング９６の付勢力にて閉動作すると説明した。しかし、中央扉６７の背面上端部は左右扉６８の連結部６８Ｃの前面に当接しているため、中央扉６７がスプリング９１の付勢力にて閉動作するに伴って、左右扉６８は中央扉６７から閉方向の力を受ける。つまり、第１ソレノイド８２のスプリング９１は、中央扉６７を閉動作させると共に、左右扉６８の閉動作を補助するように作用する。
【０１２２】
このように、左右扉６８の閉動作には、第１ソレノイド８２のスプリング９１の付勢力が利用されるため、左右扉６８を閉動作させる第２ソレノイド８４のスプリング９６の付勢力は、第１ソレノイド８２のスプリング９１の付勢力よりも小さくてもよい。具体的には、スプリング９６のバネ定数をスプリング９１のバネ定数よりも小さく設定するようにしてもよい。このように設定すれば、第２ソレノイド８４として推力の小さいものを用いることが可能となり、コストを低減することができる。
【０１２３】
さらに、第１ソレノイド８２のスプリング９１として、バネ定数の大きいものを用いれば、第２ソレノイド８４のスプリング９６を廃止することも可能となる。このように構成すれば、第２ソレノイド８４として、さらに推力の小さいものを用いることが可能となる。
【０１２４】
本発明は上記の実施の形態に限定されずに、その技術的な思想の範囲内において種々の変更がなしうることは明白である。
【産業上の利用可能性】
【０１２５】
本発明の遊技機は、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【符号の説明】
【０１２６】
１      遊技盤
２１    センターケース
２２    変動表示装置
２５    特別変動入賞装置
６５    入賞口
６６    開閉部材
６７    中央扉
６７ｃ  ストッパ部
６８    左右扉
６８Ｃ  連結部
７０    ベース部材
７２，７４    レバー部
７５    ストッパ部
８２    第１ソレノイド
８２ｂ  鉄心
８３    第１変換機構
８４    第２ソレノイド
８４ｂ  鉄心
８５    第２変換機構
８９，９４    直動部材
９０，９５    揺動部材
９１，９６    スプリング
【図１】
2010166974.tif 000003
【図２】
2010166974.tif 000004
【図３】
2010166974.tif 000005
【図４】
2010166974.tif 000006
【図５】
2010166974.tif 000007
【図６】
2010166974.tif 000008
【図７】
2010166974.tif 000009
【図８】
2010166974.tif 000010
【図９】
2010166974.tif 000011
【図１０】
2010166974.tif 000012
【図１１】
2010166974.tif 000013